(57)【特許請求の範囲】
【請求項１】
第１、第２チャンネルのオーディオアンプと、前記第１チャンネルのオーディオアンプの出力に接続された第１チャンネルのスピーカと、を内蔵したアクティブユニット、および、第２チャンネルのスピーカを内蔵したパッシブユニットを有し、
前記アクティブユニットは、
第１、第２チャンネルのオーディオ信号を入力する第１および第２のオーディオ信号入力部と、
前記第２チャンネルのオーディオアンプの出力に接続され、前記パッシブユニットが接続されるオーディオ出力端子と、
前記オーディオ出力端子に前記パッシブユニットが接続されているか否かを検出する接続検出部と、
前記接続検出部が前記パッシブユニットの接続を検出しているとき、前記第１、第２チャンネルのオーディオ信号をそれぞれ第１、第２チャンネルのオーディオアンプに入力し、前記接続検出部が前記パッシブユニットの接続を検出しないとき、前記第１、第２のオーディオ信号入力部と前記第１のオーディオアンプとの間にそれぞれ個別のインピーダンス整合用抵抗器を挿入するよう切り換え、前記第１、第２チャンネルのオーディオ信号を、前記それぞれ個別のインピーダンス整合用抵抗器を介して、前記第１チャンネルのオーディオアンプに入力する信号切換部と、
を備えたスピーカシステム。
【請求項２】
前記オーディオアンプは、電池によって駆動される請求項１に記載のスピーカシステム。
【発明の詳細な説明】
【技術分野】
【０００１】
この発明は、オーディオアンプを内蔵したステレオのスピーカシステムに関する。
【背景技術】
【０００２】
ノートパソコンはスピーカが小さく音質が良好でない。また、携帯オーディオプレーヤはフォーンジャックを有するのみでスピーカが付いていない。このため、ノートパソコンや携帯オーディオプレーヤに外付けのスピーカシステムを接続する場合がある。外付けのスピーカシステムは、たとえば非特許文献１に示すようなものであり、左右チャンネルのスピーカユニットと、一方のスピーカユニットに内蔵されたステレオのオーディオアンプを有するものである。スピーカユニットは、アクティブユニットおよびパッシブユニットからなる。アクティブユニットは、ステレオアンプと一方のチャンネルのスピーカ（たとえば右チャンネル）を有し、ノートパソコンや携帯オーディオプレーヤのオーディオ出力に接続される。パッシブユニットは、もう一方のチャンネルのスピーカ（たとえば左チャンネル）を有し、アクティブユニットに接続される。
【先行技術文献】
【非特許文献】
【０００３】
【非特許文献１】“ＹＳＴ−Ｍ１０１”、［online］、ヤマハ株式会社、［平成２４年３月５日検索］、インターネット〈URL：http://jp.yamaha.com/product_archive/audio-visual/yst-m101__j/〉
【発明の概要】
【発明が解決しようとする課題】
【０００４】
ところで、ノートパソコンや携帯オーディオプレーヤを、上記のスピーカシステムが接続された状態で持ち運びたい場合がある。この場合、ノートパソコン本体に加えて、２つのスピーカユニットを持ち運ぶのは大変面倒である。パッシブユニットを切り離してアクティブユニットのみを持ち運ぶことも考えられるが、そうするとパッシブユニットのチャンネル（左チャンネル）の音が出なくなって再生している楽曲等のバランスが崩れてしまうため、わざわざ外付けのスピーカユニットを接続した意味がなくなってしまうという課題があった。
【０００５】
この発明は、接続したノートパソコン等を一緒に持ち運び易く、且つ、再生音のバランスを崩さないスピーカシステムを提供することを目的とする。
【課題を解決するための手段】
【０００６】
この発明は、第１、第２チャンネルのオーディオアンプと、前記第１チャンネルのオーディオアンプの出力に接続された第１チャンネルのスピーカと、を内蔵したアクティブユニット、および、第２チャンネルのスピーカを内蔵したパッシブユニットを有し、前記アクティブユニットは、第１、第２チャンネルのオーディオ信号を入力する第１および第２のオーディオ信号入力部と、前記第２チャンネルのオーディオアンプの出力に接続され、前記パッシブユニットが接続されるオーディオ出力端子と、前記オーディオ出力端子に前記パッシブユニットが接続されているか否かを検出する接続検出部と、前記接続検出部が前記パッシブユニットの接続を検出しているとき、前記第１、第２チャンネルのオーディオ信号をそれぞれ第１、第２チャンネルのオーディオアンプに入力し、前記接続検出部が前記パッシブユニットの接続を検出しないとき、前記第１、第２のオーディオ信号入力部と前記第１のオーディオアンプとの間にそれぞれ個別のインピーダンス整合用抵抗器を挿入するよう切り換え、前記第１、第２チャンネルのオーディオ信号を、前記それぞれ個別のインピーダンス整合用抵抗器を介して、前記第１チャンネルのオーディオアンプに入力する信号切換部と、を備えたことを特徴とする。
また、前記オーディオアンプは、電池によって駆動されてもよい。
【発明の効果】
【０００７】
この発明によれば、パッシブユニットを切り離してもアクティブユニットから左右両チャンネルの音声を放音されるため、ノートパソコン等に接続された場合に持ち運びが容易になる。
【図面の簡単な説明】
【０００８】
【図１】この発明の実施形態であるスピーカシステムの構成図
【発明を実施するための形態】
【０００９】
図１はこの発明の実施形態であるアンプ内蔵のスピーカシステムの構成図である。スピーカシステム１は、右チャンネルのスピーカユニットであるアクティブユニット１Ｒ、および、左チャンネルのスピーカユニットであるパッシブユニット１Ｌからなっている。アクティブユニット１Ｒは、右チャンネルのスピーカ１５Ｒに加えてステレオのオーディオアンプ１４を含むオーディオ回路を内蔵している。パッシブユニット１Ｌは、左チャンネルのスピーカ１５Ｌを内蔵しており、スピーカケーブル１８でアクティブユニット１Ｒに接続される。
【００１０】
アクティブユニット１Ｒは、オーディオ入力端子１１を有している。オーディオ入力端子１１には、パーソナルコンピュータや携帯オーディオプレーヤなどのオーディオソース機器が接続される。オーディオソース機器とオーディオ入力端子１１とはオーディオケーブル１０で接続される。オーディオ入力端子１１は、たとえばステレオミニジャックであり、オーディオケーブル１０側の端子はステレオミニプラグである。オーディオ入力端子１１は、切換スイッチ１２に接続されている。
【００１１】
切換スイッチ１２は、右チャンネル（Ｒｃｈ）用の切換スイッチ１２Ｒおよび左チャンネル（Ｌｃｈ）用の切換スイッチ１２Ｌからなっている。
【００１２】
右チャンネル用の切換スイッチ１２Ｒは、コモン接点１２ＲＣ、ステレオ側接点１２ＲＳ、モノラル側接点１２ＲＭを有している。コモン接点１２ＲＣにはオーディオ入力端子１１の右チャンネルが接続されている。ステレオ側接点１２ＲＳは右チャンネルのオーディオアンプ１４Ｒの入力端子に接続されている。モノラル側接点１２ＲＭはインピーダンス整合用抵抗器１３Ｒを介して右チャンネルのオーディオアンプ１４Ｒの入力端子に接続されている。コモン接点１２ＲＣは、切り換えにより、ステレオ側接点１２ＲＳまたはモノラル側接点１２ＲＭのいずれか一方に接続される。
【００１３】
左チャンネル用の切換スイッチ１２Ｌは、コモン接点１２ＬＣ、ステレオ側接点１２ＬＳ、モノラル側接点１２ＬＭを有している。コモン接点１２ＬＣにはオーディオ入力端子１１の左チャンネルが接続されている。ステレオ側接点１２ＬＳは左チャンネルのオーディオアンプ１４Ｌの入力端子に接続されている。モノラル側接点１２ＬＭはインピーダンス整合用抵抗器１３Ｌを介して右チャンネルのオーディオアンプ１４Ｌの入力端子に接続されている。コモン接点１２ＬＣは、切り換えにより、ステレオ側接点１２ＬＳまたはモノラル側接点１２ＬＭのいずれかに接続される。左右チャンネルの切換スイッチ１２Ｌ，Ｒの切り換えは、連動して行われる。
【００１４】
右チャンネルオーディオアンプ１４Ｒの出力端子には、アクティブユニット１Ｒに内蔵の右チャンネルのスピーカ１５Ｒが接続されている。左チャンネルオーディオアンプ１４Ｌの出力端子には、オーディオ出力端子１６が接続されている。オーディオ出力端子１６には、パッシブユニット１Ｌのスピーカケーブル１８の端子であるスピーカ端子１８Ａが接続される。オーディオ出力端子１６は、たとえば標準フォーンジャックなどで構成され、スピーカ端子１８Ａは、たとえば標準フォーンプラグなどで構成される。
【００１５】
切換スイッチ１２がステレオ側に切り換えられているとき、オーディオ入力端子１１から入力された右チャンネルのオーディオ信号は右チャンネルオーディオアンプ１４Ｒに入力され、オーディオ入力端子１１から入力された左チャンネルのオーディオ信号は左チャンネルオーディオアンプ１４Ｌに入力される。したがって、右チャンネルのオーディオ信号は右チャンネルのスピーカ１５Ｒから放音され、左チャンネルのオーディオ信号はパッシブユニット１Ｌの左チャンネルのスピーカ１５Ｌから放音される。
【００１６】
また、切換スイッチ１２がモノラル側に切り換えられているとき、左右チャンネルのオーディオ信号は、それぞれインピーダンス整合用抵抗器１３Ｌ，Ｒを介してともに右チャンネルオーディオアンプ１４Ｒに入力される。したがって、切換スイッチ１２がモノラル側に切り換えられると、左右チャンネルのオーディオ信号は合成されて、アクティブユニット１Ｒに内蔵のスピーカ１５Ｒから放音される。
【００１７】
オーディオ出力端子１６には、接続検出部１７が設けられている。接続検出部１７は、オーディオ出力端子１６にスピーカ端子１８Ａが接続されているか否かを検出する回路である。接続検出部１７は、たとえば、フォーンジャックの切換電極、オーディオ出力端子１６のホット側のインピーダンスを監視するなど電気的にスピーカ端子１８Ａの接続を検出する回路、光学的にスピーカ端子１８Ａの接続を検出する回路などを適用することが可能であり、検出方式に制限はない。
【００１８】
切換スイッチ１２は、接続検出部１７がスピーカ端子１８Ａの接続を検出しているとき、ステレオ側に切り換わり、接続検出部１７がスピーカ端子１８Ａの接続を検出しないとき、モノラル側に切り換わる。
【００１９】
これにより、パッシブユニット１Ｌ（左チャンネルのスピーカ１５Ｌ）が接続されているときは、ステレオのオーディオ信号がステレオで放音され、スピーカ端子１８Ａが抜かれてパッシブユニット１Ｌ（左チャンネルのスピーカ１５Ｌ）が切り離された場合には、左／右チャンネルのオーディオ信号が合成されてモノラル信号として右チャンネルのスピーカ１５Ｒから放音される。
【００２０】
このスピーカユニット１を、たとえばノートパソコンに接続した場合、通常はパッシブユニット１Ｌをアクティブユニット１Ｒに接続してステレオで音声を放音させ、ノートパソコンを持ち運ぶ場合には、パッシブユニット１Ｌを切り離してアクティブユニット１Ｒのみをノートパソコンと一緒に持ち運ぶことにより、持ち運びが容易で且つバランスの良い音声の再生を維持することができる。
【００２１】
なお、アクティブユニット１Ｒの電源は、持ち運びを想定した場合には、電池２０による駆動であることが好ましいが、ＤＣジャックを設け、ＡＣアダプタから電源の供給を受けてもよい。また、ＵＳＢコネクタを設けて、ノートパソコン等から（オーディオ信号と一緒に）電源の供給を受けてもよい。また、これらの電源ソースを併用できるようにしてもよい。
【００２２】
また、この実施形態では、アナログのオーディオ信号を入力するようにしているが、ＵＳＢ等からデジタルのオーディオ信号を入力する構成であってもよい。また、オーディオアンプをデジタルアンプで構成してもよい。左右チャンネルのオーディオ信号を合成する場合、デジタル信号の場合にはインピーダンス整合用の抵抗器１３は不要であるが、加算合成されたサンプリング信号のレベルを調整することが好ましい。
【００２３】
また、アクティブユニット１Ｒに電源スイッチやボリュームコントロールを設けても良い。
【符号の説明】
【００２４】
１  スピーカシステム
１Ｒ  アクティブユニット
１Ｌ  パッシブユニット
１７  接続検出部
【図１】
0005804274.tif 000002